(57)【要約】【課題】音声データに誤り訂正符号を付加して通話を行うデジタル無線機において、電波の伝搬状態が良好で受信データに誤りが生じない場合に、音声の高品質化を図る。【解決手段】デジタル無線機に搭載済みの音声コーデックより伝送レートの高い音声コーデックと、電波の伝搬状態を監視するため、予め送り側のデータが判っている受信データから誤りの有無により電波の伝搬状態を判断して音声コーデックを選択する音声コーデック選択部を設けることにより、電波の伝搬状態を監視し、伝搬状態が良好で受信データに誤りが生じない場合には伝送レートの高い音声コーデックを使用するようにする。【選択図】      図１
2004221821.tif 000002
【特許請求の範囲】
【請求項１】
音声データに誤り訂正符号情報を付加して通話を行うデジタル無線機において、前記デジタル無線機は電波の伝搬状態を監視し、伝搬状態が良好な場合に、誤り訂正符号情報を付加せず、音声データの伝送レートを上げて高品質で通話することを特徴とするデジタル無線機。
【請求項２】
請求項１記載のデジタル無線機において、送信側で送られてくる、予め判っているデータを受信して誤りの有無で電波の伝搬状態を監視することを特徴とするデジタル無線機。
【発明の詳細な説明】
【０００１】
【発明の属する技術分野】
本発明は、デジタル無線機音質の改良に関するものである。
【０００２】
【従来の技術】
従来のデジタル無線機における通信を、図３及び図４で説明する。
【０００３】
図４は無線機１が無線機２に向けて通信を開始するときの動作フローを示す。デジタル無線機１のユーザがデジタル無線機２のユーザに通信するとき、デジタル無線機１のユーザがダイヤル、プレス等を行うことによりデジタル無線機１は発信処理を行い、デジタル無線機２に対して通話要求を送信する。デジタル無線機２は通話要求を受信し、着信処理を行う。着信処理ではデジタル無線機２が他と通信中でないか、障害がないか等デジタル無線機１と通話に入れる状態であることを確認してデジタル無線機１に対して通話応答を返す。通話応答を返されたデジタル無線機１はデジタル無線機２が通話出来ることを確認処理で行った後、通話に移行する。ここで通話要求や通話応答の信号は他の制御情報や、同期ワード等付加したフレーム構成で送信される。
【０００４】
通話に移行した後の動作を図３で説明する。
図３はデジタル無線機の通話動作を表すブロック図である。１，２はデジタル無線機、１−１，２−１は音声入出力端子、１−２，２−２はバンドパスフィルタ（ＢＰＦ：Ｂａｎｄ  Ｐａｓｓ  Ｆｉｌｔｅｒ）、１−４，２−４は音声コーデック（低速）部、１−５，２−５は誤り訂正処理部、１−８，２−８はチャネルコーデック部、１−１０，２−１０はデジタル変復調部、１−１１，２−１１は高周波処理部、１−１２，２−１２はアンテナである。
【０００５】
図４で示す通信開始時の動作フローで通話に移行後、デジタル無線機１のユーザからの音声は音声入出力端子１−１より入力され電気信号に変換し、ＢＰＦ１−２に与える。ＢＰＦ１−２に入力された信号は、帯域制限された後、音声コーデック（低速）部１−４に与える。音声コーデック（低速）部１−４に入力された信号は、アナログ信号からデジタル信号へと変換され、誤り訂正処理部１−５に与える。誤り訂正処理部１−５は受信側のデジタル無線機２にも設けてあり、送信側で誤り訂正符号化情報を付加することで、伝搬状態が悪くデジタル信号に誤りが生じた場合に、受信側で誤り訂正を行い、送信側で送られたデジタル信号を復元することができる。誤り訂正符号化情報を付加したデジタル信号はチャネルコーデック部１−８に与え、制御情報、同期ワード等の必要データを付加し送信フレームデータを構成する。このデジタル送信フレームデータはデジタル変復調部１−１０に与える。デジタル変復調部１−１０では入力された信号について変調処理を行い、高周波処理部１−１１に与える。高周波処理部１−１１では周波数変換、帯域制限、電力増幅等の処理を行い、アンテナ１−１２に与え送信を行う。
【０００６】
一方、デジタル無線機２では、デジタル無線機１から出力された信号がアンテナ２−１２によって受信されて、高周波処理部２−１１に与えられる。高周波処理部２−１１では、入力された信号に対して不要成分の除去、周波数変換等を行い、デジタル変復調部２−１０に与える。デジタル変復調部２−１０では入力された信号からデータを再生し、チャネルコーデック部２−８に与える。チャネルコーデック部２−８では制御情報、同期ワード等のデータは抜き出し、音声データのみを誤り訂正処理部２−５に与える。誤り訂正処理部２−５では誤り検出、訂正を行い、送信側で送られたデータに復元し、音声コーデック（低速）部２−４に与える。音声コーデック（低速）部２−４では音声データをアナログ信号に変換し、ＢＰＦ２−２に与える。ＢＰＦ２−２では帯域制限を行い、音声入出力端子２−１から出力する。
【０００７】
【発明が解決しようとする課題】
前述の従来技術には、送信フレームにデータの誤り訂正のため誤り訂正符号化情報が付加されていた。そのため、付加された分、音声データの情報量が減ることになり、音声コーデックの伝送レートは低速となっていた。音声コーデック伝送レートの低速は音声品質を劣化させていた。
【０００８】
【課題を解決するための手段】
本発明の特徴は、誤り訂正符号化情報を付加せず、その分、伝送レートを高速にした音声コーデックを設けることで、通話前のシーケンスで伝搬状態を監視し、誤りが発生しない場合の通話には高速の音声コーデックを使用するものである。
【０００９】
【発明の実施の形態】
本発明のデジタル無線機における通信を図１及び図２で説明する。
【００１０】
図２は無線機１が無線機２に向けて通信を開始するときの動作フローを示す。デジタル無線機１が発信処理を行い、デジタル無線機２が通話応答を返すところまでは従来技術と同様であるので説明を省略する。デジタル無線機１の確認処理でデジタル無線機２が通話できることを確認すると同時に、本情報が送られたフレームに一緒に送られてくる予めデータが判っている、例えば同期ワードを抜き出す。次に抜き出したデータには誤りがあるか監視し、あれば音声コーデック伝送レートの低速を選択し、なければ高速を選択して通話に移行する。
【００１１】
本動作を図１で説明する。
図１はデジタル無線機の通話動作を表すブロック図である。今まで説明した構成要素の参照番号と同じ番号の構成要素は、従来の機能及び動作とほぼ同一である。その他、１−３，１−７，２−３，２−７はスイッチ、１−６，２−６は音声コーデック（高速）部、１−９，２−９は音声コーデック選択部である。
【００１２】
デジタル無線機１の通話応答受信から説明する。デジタル無線機２から送信された通話応答の信号はデジタル無線機１のアンテナ１−１２で受信され、高周波処理部１−１１、デジタル変復調部１−１０を介して、チャネルコーデック部１−８に与える。チャネルコーデック部１−８では、通話応答等が乗っている制御情報、同期ワード等を抜き出す。抜き出したデータ中に予め送られてくることが判っているデータ、例えば同期ワードは音声コーデック選択部１−９に与える。音声コーデック選択部１−９では送られてくるべき同期ワードと受信した同期ワードを誤りがあるか比較する。比較した結果、誤りがあれば、スイッチ１−３，１−７はＡ側に接続され、従来通り音声データは音声コーデック（低速）部１−４、誤り訂正処理部１−５のルートを通って、通話を行う。誤りがなければ、スイッチ１−３，１−７はＢ側に接続され、音声データは音声コーデック（高速）部１−６のルートを通って、通話を行う。
【００１３】
通話を行う際には、送信側のデジタル無線機１のチャネルコーデック部１−８で送信フレームデータを構成する制御情報の中に前述の比較結果を音声コーデック選択情報として入れ込んでおく。
【００１４】
音声コーデック選択情報を入れ込んだ信号はデジタル無線機２のアンテナ２−１２、高周波処理部２−１１、デジタル変復調部２−１０を介してチャネルコーデック部２−８に与える。チャネルコーデック部２−８では、制御情報を抜き出し、その中の音声コーデック選択情報を音声コーデック選択部２−９に与える。音声コーデック選択部２−９では、音声コーデック選択情報から、音声コーデック伝送レート低速が選択であれば、スイッチ２−３，２−７をＡ側に接続させ、従来通り誤り訂正処理部２−５、音声コーデック（低速）部２−４のルートを通って、通話を行う。また音声コーデック伝送レート高速が選択されていれば、スイッチ２−３，２−７をＢ側に接続させて、音声コーデック（高速）部２−６のルートを通って、通話を行う。
【００１５】
電波の伝搬状態が良く受信データに誤りがないため、音声コーデック伝送レート高速を選択して通話している最中に、デジタル無線機の移動等により伝搬状態が悪くなったときの動作について説明する。
【００１６】
通話中の信号は通話データの他に付随制御情報や、同期ワード等を付加したフレーム構成で送信される。デジタル無線機２とデジタル無線機１が音声コーデック伝送レート高速を選択して通話中とする。デジタル無線機２が通話信号を送信しデジタル無線機１で受信している時には常時、デジタル無線機１のチャネルコーデック部１−８で受信信号から同期ワードを抜き出し音声コーデック選択部１−９に与える。音声コーデック選択部１−９では送られてくるべき同期ワードと受信した同期ワードに誤りがあるか比較を行っている。伝搬状態が悪くなると、音声コーデック選択部１−９で誤りが発生するので、その結果からデジタル無線機１が通話信号を送信する時に、チャネルコーデック部１−８で送信フレームを構成する付随制御情報に音声コーデック伝送レート低速とした選択情報をのせて送信する。送信後、デジタル無線機１はスイッチ１−３，１−７をＡ側に接続し、音声コーデック（低速）部１−４、誤り訂正処理部１−５と接続する。また、デジタル無線機２は選択情報を受信した後、スイッチ２−３，２−７をＡ側に接続し、音声コーデック（低速）部２−４、誤り訂正処理部２−５と接続する。
【００１７】
以上のように通話中に予め送られてくることが判っているデータを監視し、通話におけるフレーム信号を構成する付随制御情報に誤り有無の結果をのせて送信することで、通話中でも音声コーデック伝送レート高速と低速の切替えが可能となる。
【００１８】
【発明の効果】
以上のように、本発明によれば、電波の伝搬状態が良く、受信データに誤りが発生しない場合に、音声コーデックの伝送レートを高速化することができる。従って、この場合には音声の品質を向上させることができる。
【図面の簡単な説明】
【図１】本発明のデジタル無線通話の一実施例を示す構成ブロック図。
【図２】本発明のデジタル無線通話の一実施例を示す動作フロー図。
【図３】従来のデジタル無線通話を示す構成ブロック図。
【図４】従来のデジタル無線通話を示す動作フロー図。
【符号の説明】
１，２：デジタル無線機、１−１，２−１：音声入出力端子、１−２，２−２：バンドパスフィルタ、１−３，２−３：スイッチ、１−４，２−４：音声コーデック（低速）部、１−５，２−５：誤り訂正処理部、１−６，２−６：音声コーデック（高速）部、１−７，２−７：スイッチ、１−８，２−８：チャネルコーデック部、１−９，２−９：音声コーデック選択部、１−１０，２−１０：デジタル変復調部、１−１１，２−１１：高周波処理部、１−１２，２−１２：アンテナ。
【図１】
2004221821.tif 000003
【図２】
2004221821.tif 000004
【図３】
2004221821.tif 000005
【図４】
2004221821.tif 000006